(57)【要約】【課題】射出スリーブと射出チップとの間への溶湯差し込みを防止できるダイカスト鋳造装置用射出チップ、ダイカスト鋳造装置および方法を提供する。【解決手段】ダイカスト鋳造装置１は、キャビティ内で金属を成形する金型と、キャビティに連通され、金属の溶湯を導入する射出スリーブ１０と、射出スリーブ１０内で推進して、溶湯をキャビティ内へ射出する円柱状の射出チップ２０と、を備え、射出チップ２０の先端加圧面２１の外周部近傍に、リング状凹部２１Ａを形成している。【選択図】図１
2009190074.tif 000002
【特許請求の範囲】
【請求項１】
ダイカスト鋳造装置の金型のキャビティ内に金属の溶湯を導入する射出スリーブ内で推進して前記溶湯を前記キャビティ内へ射出するための射出チップであって、
前記射出チップの先端加圧面の外周部近傍に、リング状凹部を形成したことを特徴とするダイカスト鋳造装置用射出チップ。
【請求項２】
前記先端加圧面において、前記リング状凹部の中央部に山状凸部を形成すると共に、前記リング状凹部の外周部にリング状凸部を形成し、
前記山状凸部は前記リング状凸部よりも推進方向前方へ突出し、冷却媒体を循環させるためのチップ冷却穴を前記山状凸部内に進入するように前記射出チップ内に形成したことを特徴とする請求項１に記載のダイカスト鋳造装置用射出チップ。
【請求項３】
前記山状凸部の先端を平坦面に形成したことを特徴とする請求項２に記載のダイカスト鋳造装置用射出チップ。
【請求項４】
キャビティ内で金属を成形する金型と、
前記キャビティに連通され、前記金属の溶湯を導入する射出スリーブと、
該射出スリーブ内で推進して、前記溶湯を前記キャビティ内へ射出する円柱状の射出チップと、を備え、
前記射出チップの先端加圧面の外周部近傍に、リング状凹部を形成したことを特徴とするダイカスト鋳造装置。
【請求項５】
射出スリーブ内に金属の溶湯を充填するステップと、
射出チップを推進して、前記射出スリーブに連通する金型のキャビティ内へ前記溶湯を射出するステップと、
を有するダイカスト鋳造方法であって、
前記溶湯を射出するステップは、先端加圧面の外周部近傍にリング状凹部が形成された射出チップを用いて、前記射出スリーブ内に充填された前記溶湯を射出するものであることを特徴とするダイカスト鋳造方法。
【発明の詳細な説明】
【技術分野】
【０００１】
本発明は、射出スリーブ内の溶湯を射出チップの推進により金型のキャビティ内へ射出して成形するダイカスト鋳造装置および方法に係り、詳しくは射出チップ形状を改良したダイカスト鋳造装置および方法に関する。
【背景技術】
【０００２】
自動車部品の多くはアルミニウム鋳造品で構成され、その軽量化や低燃費性、低コスト化が図られている。近年、軽量化等のニーズはさらに高くなり、エンジンや足回り部品に留まらず、複雑な形状の部品や、複数の部品を一体化させた大型車体鋳物にも適用されている。
【０００３】
これらのアルミニウム鋳造部品の製造には、ダイカストマシンが用いられている。このダイカストマシンを用いたアルミニウム鋳造部品の成形は、射出スリーブ内にアルミニウム溶湯を充填し、この射出スリーブ内で射出チップを高速で推進させることにより、上記射出スリーブ内のアルミニウム溶湯を金型のキャビティ内に射出して成形している（特許文献１および２参照）。
【特許文献１】特開２００６−１０２７６３号公報
【特許文献２】特開２００７−１９０５８４号公報
【発明の開示】
【発明が解決しようとする課題】
【０００４】
ところで、従来のダイカスト鋳造装置では、射出チップの先端が平坦な略円柱形状を呈している。したがって、溶湯を充填した射出スリーブ内で射出チップを高速作動させると、射出スリーブと射出チップとの間に溶湯が差し込み、射出チップが摩耗する現象が起きる。
【０００５】
その結果、射出チップの寿命低下、射出速度の不安定化による内部品質の低下、およびサイクルタイムの増加による連続サイクル稼働数の低下という問題が発生する。また、真空制御を行う真空ダイカスト鋳造法では、真空度が低下する。
【０００６】
そこで、本発明は、射出スリーブと射出チップとの間への溶湯の差し込みを防止できるダイカスト鋳造装置および方法を提供することを目的とする。
【課題を解決するための手段】
【０００７】
上記目的を達成するための本発明に係るダイカスト鋳造装置用射出チップは、ダイカスト鋳造装置の金型のキャビティ内に金属溶湯を導入する射出スリーブ内で推進して前記溶湯を前記キャビティ内へ射出するための射出チップであって、前記射出チップの先端加圧面の外周部近傍に、リング状凹部を形成したことを特徴とする。
【０００８】
また、本発明に係るダイカスト鋳造装置は、キャビティ内で金属を成形する金型と、前記キャビティに連通され、前記金属の溶湯を導入する射出スリーブと、該射出スリーブ内で推進して、前記溶湯を前記キャビティ内へ射出する円柱状の射出チップと、を備え、前記射出チップの先端加圧面の外周部近傍に、リング状凹部を形成したことを特徴とする。
【０００９】
また、本発明に係るダイカスト鋳造方法は、射出スリーブ内に金属の溶湯を充填するステップと、射出チップを推進して、前記射出スリーブに連通する金型のキャビティ内へ前記溶湯を射出するステップと、を有するダイカスト鋳造方法であって、前記溶湯を射出するステップは、先端加圧面の外周部近傍にリング状凹部が形成された射出チップを用いて、前記射出スリーブ内に充填された前記溶湯を射出するものであることを特徴とする。
【発明の効果】
【００１０】
本発明によれば、射出チップの先端加圧面の形状を改良するという簡単な構成で、射出スリーブと射出チップとの間への溶湯の差し込みを防止できる。
【００１１】
その結果、射出チップ寿命の向上、射出速度の安定化による鋳造品の内部品質の向上、および連続サイクル稼働数の向上を図ることができる。また、真空制御を行う真空ダイカスト鋳造法において、真空度の安定化を図ることができる。
【発明を実施するための最良の形態】
【００１２】
以下、本発明の実施の形態を、図面を参照して詳細に説明する。
【００１３】
図１は、本発明に係るダイカスト鋳造装置における射出チップの一実施形態を示す概略断面図である。
【００１４】
図１に示すように、本実施形態のダイカスト鋳造装置１は、円筒体状の射出スリーブ１０と、この射出スリーブ１０内に摺動可能に配設された射出チップ２０と、を備えている。
【００１５】
上記射出スリーブ１０は中空円柱状の充填空間１１を有し、この充填空間１１内には、不図示の導入口からアルミニウム溶湯等の金属溶湯が充填される。また、射出チップ２０は略円柱状を呈しており、その後端部は射出ロッド２５を介して不図示の駆動源と接続されている。この駆動源としては、たとえば、シリンダ装置が挙げられる。このシリンダ装置により射出ロッド２５を進出駆動させると、射出スリーブ１０内でその軸方向に沿って射出チップ２０が高速で推進作動する。上記射出スリーブ１０の充填空間１１側の先端部は、不図示の金型のキャビティと連通されている。したがって、射出チップ２０を推進すると、射出スリーブ１０内に充填された金属溶湯が金型のキャビティ内へ射出される。
【００１６】
上記射出チップ２０は、その推進方向の前面に位置する先端加圧面２１の外周部近傍に、リング状凹部２１Ａが形成されている。この射出チップ２０の先端加圧面２１において、上記リング状凹部２１Ａの中央部に、山状の凸部２１Ｂが形成されている。また、上記リング状凹部２１Ａの外周部に、リング状凸部２１Ｃが形成されている。このリング状凸部２１Ｃの径方向幅Ｗは、チップ直径の５％以下に設定されている。すなわち、この射出チップ２０の断面形状は、その先端加圧面２１において、リング状凸部２１Ｃ、リング状凹部２１Ａおよび山状の凸部２１Ｂが連続した波形状を呈している。射出スリーブ１０内で、先端加圧面２１が凹凸形状を有する射出チップ２０を高速推進させると、山状凸部２１Ｂに金属溶湯が振り分けられるため、リング状凹部２１Ａの内面に溶湯の圧力Ｐが加わる。
【００１７】
また、本実施形態では、山状凸部２１Ｂは、リング状凸部２１Ｃよりも推進方向前方へ突出しており、凸部の突出高さが高く形成されている。さらに、リング状凹部２１Ａの最低部から山状凸部２１Ｂの最高部までの突出高さＴは、１０〜２０ｍｍに設定されている。そして、冷却媒体を循環させるためのチップ冷却穴２２が、山状凸部２１Ｂ内に進入するように射出チップ２０内に形成されている。このように山状凸部２１Ｂの突出高さＴを拡大することにより、チップ冷却穴２２を上記先端加圧面２１に近づけることができる。冷却媒体としては、たとえば、冷却水等が用いられる。
【００１８】
また、図２は本実施形態の射出チップの変形例を示す断面図である。
【００１９】
図２に示すように、射出チップ２０の先端加圧面２１の中央部に形成した山状凸部２１Ｂの先端を平坦面２１Ｄに形成してもよい。このように構成することにより、射出スリーブ２０内に金属溶湯が充填されずに空打ちしたとき、射出チップ２０の破損および変形を防止することができる。
【００２０】
次に、本実施形態のダイカスト鋳造方法を、上記ダイカスト鋳造装置１の作用効果とともに説明する。図３は、比較例の射出チップの形状を示す概略断面図である。
【００２１】
図１を参照して、本実施形態のダイカスト鋳造方法は、まず、射出スリーブ１０内に、アルミニウム溶湯等の金属溶湯を充填する。その際、シリンダ装置により、射出ロッド２５を介して射出チップ２０を後退させ、射出スリーブ１０内に充填部１１を形成する。続いて、射出スリーブ１０の充填部１１内に、不図示の導入口から金属溶湯を導入する。
【００２２】
次に、シリンダ装置により、射出ロッド２５を介して射出チップ２０を推進させ、射出スリーブ１０内に充填された金属溶湯を金型のキャビティ内へ射出する。
【００２３】
図３に示すように、比較例の射出チップ５０は、先端が平坦な略円柱形状を呈している。また、推進性能等を良くするため、射出チップ５０の外周部先端に推進方向後方へ向けて拡径するテーパ部５１を形成している。したがって、射出チップ５０を高速作動させると、金属溶湯の圧力Ｐは推進方向後方へ引っ込んでいるテーパ部５１に加わる。したがって、射出スリーブ１０と射出チップ５０との間に溶湯の差し込みが生じ、射出チップ５０の外周部が摩耗する現象が起こる虞がある。特に、図３のように、射出チップ５０の外周部先端にテーパ部５１を形成している場合には、上記溶湯の差し込みが生じ易い。
【００２４】
これに対し、本実施形態のダイカスト鋳造方法に用いる射出チップ２０の先端加圧面２１の外周部近傍には、リング状凹部２１Ａが形成されている。上述したように、射出スリーブ１０内で先端加圧面２１が凹凸形状を有する射出チップ２０を高速推進させると、山状凸部２１Ｂに金属溶湯が振り分けられ、リング状凹部２１Ａの内面に溶湯の圧力Ｐが加わる。さらに、リング状凹部２１Ａの外周には推進方向前方へ突出したリング状凸部２１Ｃが存在するため、射出スリーブ１０と射出チップ２０との間への溶湯の差し込みを抑制できる。
【００２５】
また、山状凸部２１Ｂは、リング状凸部２１Ｃよりも、凸部の突出高さが高く形成され、この山状凸部２１Ｂ内に進入するようにチップ冷却穴２２が形成されている。この構成により、チップ冷却穴２２が射出チップ２０の先端側に近づき、射出チップ２０の先端加圧面２１の冷却性能が向上する。したがって、方案部（スクラップ部）の最終凝固部であるビスケット（金型と射出スリーブとの接続部分で形成される溶湯固化物）の凝固速度が速くなるため、サイクルアップが図れる。また、射出チップ２０の先端加圧面２１が凹凸形状に形成されているので、この先端加圧面２１の表面積が増加し、ビスケットの冷却速度がより向上し、サイクルアップが図れる。
【００２６】
このように本実施形態によれば、射出スリーブ２０と射出チップ１０との間に金属溶湯が差し込むのを防止できる。したがって、射出チップ１０の外周部の摩耗を防止でき、射出チップ２０の寿命の向上、射出速度の安定化による鋳造品の内部品質の向上、および連続サイクル稼働数の向上を図ることができる。また、金型のキャビティ内の真空制御を行う真空ダイカスト鋳造法において、真空度の安定化を図ることができる。
【００２７】
本発明は、アルミニウム部品のダイカスト鋳造のみならず、亜鉛、マグネシウム等のその他の非鉄金属のダイカスト鋳造にも広く適用可能である。また、本発明は、金型のキャビティ内の真空制御を行う真空ダイカスト鋳造にも適用可能である。
【図面の簡単な説明】
【００２８】
【図１】本発明に係るダイカスト鋳造装置における射出チップの一実施形態を示す概略断面図である。
【図２】本実施形態の射出チップの変形例を示す断面図である。
【図３】比較例の射出チップの形状を示す概略断面図である。
【符号の説明】
【００２９】
１  ダイカスト鋳造装置、
１０  射出スリーブ、
２０  射出チップ、
２１  先端加圧面、
２１Ａ  リング状凹部、
２１Ｂ  山状凹部、
２１Ｃ  リング状凹部、
２１Ｄ  平坦面。
【図１】
2009190074.tif 000003
【図２】
2009190074.tif 000004
【図３】
2009190074.tif 000005